【手続補正書】
【提出日】平成23年2月16日(2011.2.16)
【手続補正１】
【補正対象書類名】特許請求の範囲
【補正対象項目名】全文
【補正方法】変更
【補正の内容】
【特許請求の範囲】
【請求項１】
固定長のハッピー（Ｈ）指標と固定長の再送シーケンス番号（ＲＳＮ）と固定長のトランスポート・フォーマット指標（ＴＦＩ）とを通信するよう動作可能な制御チャネルを有する無線通信システム内の送信機における方法であって、前記方法は、前記Ｈ指標と前記ＲＳＮと前記ＴＦＩとを、制御チャネルのフレームで送信するための結合された固定長の複数ビット符号語に結合するものであり、前記方法が、
前記ハッピー指標の固定数のビットと前記ＲＳＮの固定数のビットと前記ＴＦＩの固定数のビットとを結合された固定長の複数ビット符号語へマッピングするステップを含み、前記ハッピー指標と前記ＲＳＮと前記ＴＦＩとの許容可能な全ての組合せから形成される結合された符号語の１０進数等価値が連続する値の範囲内にあり、前記ハッピー指標と前記ＲＳＮと前記ＴＦＩとの許容可能な組合せの数が、前記結合された固定長の複数ビット符号語が取り得る異なる１０進数値の最大個数よりも少ない、方法。
【請求項２】
前記制御チャネルは、ユーザ装置によって伝送されるエンハンスト専用物理制御チャネル（Ｅ−ＤＰＣＣＨ）であり、前記ハッピー指標は１ビットのハッピー（Ｈ）ビットであり、前記ＲＳＮは２ビットの固定長を有し、前記ＴＦＩは７ビットの固定長を有し、前記結合された固定長の複数ビット符号語は１０ビットを有する、請求項１に記載の方法。
【請求項３】
前記Ｈビットと前記２ビットのＲＳＮビットと前記ＴＦＩビットとが、１０進数で表したときに、
（Ｈビット）＋（Ｈビットの取り得る値の個数）×ＲＳＮ＋（Ｈビットの取り得る値の個数）×（ＲＳＮの取り得る値の個数）×ＴＦＩ
に等しい前記結合された１０ビットの符号語にマッピングされる、請求項２に記載の方法。
【請求項４】
前記「Ｈビットの取り得る値の個数」が２であり、前記「ＲＳＮの取り得る値の個数」がＭＡＸ＿ＲＳＮ＋１に等しく、１０進数で表した前記結合された１０ビットの符号語が、
（Ｈビット）＋２×ＲＳＮ＋２×（ＭＡＸ＿ＲＳＮ＋１）×ＴＦＩ
に等しく、前記結合された１０ビットの符号語の１０進数で表した最大値が、
１＋２×ＭＡＸ＿ＲＳＮ＋２×（ＭＡＸ＿ＲＳＮ＋１）×ＭＡＸ＿ＴＦＩ
に等しく、ＭＡＸ＿ＴＦＩは１０進数で表した使用されている最大ＴＦＩである、請求項３に記載の方法。
【請求項５】
ＭＡＸ＿ＲＳＮが３に等しい場合、前記Ｈビットと前記２ビットのＲＳＮビットと前記７ビットのＴＦＩビットとの前記マッピングが、
ｘ10＝ｘｔｆｉ，１
ｘ９＝ｘｔｆｉ，２
ｘ８＝ｘｔｆｉ，３
ｘ７＝ｘｔｆｉ，４
ｘ６＝ｘｔｆｉ，５
ｘ５＝ｘｔｆｉ，６
ｘ４＝ｘｔｆｉ，７
ｘ３＝ｘｒｓｎ，１
ｘ２＝ｘｒｓｎ，２
ｘ１＝ｘｈ，１
であり、（ｘ10，ｘ９，・・・，ｘ１）は最上位ビット（ＭＳＢ）（ｘ１０）から最下位ビット（ＬＳＢ）（ｘ１）までの前記結合された１０ビットの符号語であり、ｘｈ，１は前記Ｈビットであり、ｘｒｓｎ，１およびｘｒｓｎ，２は、ｘｒｓｎ，１がＭＳＢでｘｒｓｎ，２がＬＳＢである前記２ビットのＲＳＮビットであり、ｘｔｆｉ，１からｘｔｆｉ，７までがＭＳＢからＬＳＢまでの前記７ビットのＴＦＩビットである、請求項４に記載の方法。
【請求項６】
固定長のハッピー（Ｈ）指標と固定長の再送シーケンス番号（ＲＳＮ）と固定長のトランスポート・フォーマット指標（ＴＦＩ）とを通信するよう動作可能な制御チャネルを有する無線通信システム内の送信機における装置であって、前記装置は、前記Ｈ指標と前記ＲＳＮと前記ＴＦＩとを、制御チャネルのフレームで送信するための結合された固定長の複数ビット符号語に結合するよう動作し、前記装置が、
前記ハッピー指標と前記ＲＳＮと前記ＴＦＩとを受信する手段と、
前記ハッピー指標の固定数のビットと前記ＲＳＮの固定数のビットと前記ＴＦＩの固定数のビットとを結合された固定長の複数ビット符号語へマッピングする手段とを含み、前記ハッピー指標と前記ＲＳＮと前記ＴＦＩとの許容可能な全ての組合せから形成される結合された符号語の１０進数等価値が連続する値の範囲内にあり、前記ハッピー指標と前記ＲＳＮと前記ＴＦＩとの許容可能な組合せの数が、前記結合された固定長の複数ビット符号語が取り得る異なる１０進数値の最大個数よりも少ない、装置。
【請求項７】
前記送信機がユーザ装置にあり、前記制御チャネルは、前記ユーザ装置によって伝送されるエンハンスト専用物理制御チャネル（Ｅ−ＤＰＣＣＨ）であり、前記ハッピー指標は１ビットのハッピー（Ｈ）ビットであり、前記ＲＳＮは２ビットの固定長を有し、前記ＴＦＩは７ビットの固定長を有し、前記結合された固定長の複数ビット符号語は１０ビットを有する、請求項６に記載の装置。
【請求項８】
前記マッピングする手段が、前記Ｈビットと前記２ビットのＲＳＮビットと前記ＴＦＩビットとを、１０進数で表したときに、
（Ｈビット）＋（Ｈビットの取り得る値の個数）×ＲＳＮ＋（Ｈビットの取り得る値の個数）×（ＲＳＮの取り得る値の個数）×ＴＦＩ
に等しい前記結合された１０ビットの符号語にマッピングする、請求項７に記載の装置。
【請求項９】
前記「Ｈビットの取り得る値の個数」が２であり、前記「ＲＳＮの取り得る値の個数」がＭＡＸ＿ＲＳＮ＋１に等しく、１０進数で表した前記結合された１０ビットの符号語が、
（Ｈビット）＋２×ＲＳＮ＋２×（ＭＡＸ＿ＲＳＮ＋１）×ＴＦＩ
に等しく、前記結合された１０ビットの符号語の１０進数で表した最大値が、
１＋２×ＭＡＸ＿ＲＳＮ＋２×（ＭＡＸ＿ＲＳＮ＋１）×ＭＡＸ＿ＴＦＩ
に等しく、ＭＡＸ＿ＴＦＩは１０進数で表した使用されている最大ＴＦＩである、請求項８に記載の装置。
【請求項１０】
ＭＡＸ＿ＲＳＮが３に等しい場合、前記Ｈビットと前記２ビットのＲＳＮビットと前記７ビットのＴＦＩビットとの前記マッピングが
ｘ10＝ｘｔｆｉ，１
ｘ９＝ｘｔｆｉ，２
ｘ８＝ｘｔｆｉ，３
ｘ７＝ｘｔｆｉ，４
ｘ６＝ｘｔｆｉ，５
ｘ５＝ｘｔｆｉ，６
ｘ４＝ｘｔｆｉ，７
ｘ３＝ｘｒｓｎ，１
ｘ２＝ｘｒｓｎ，２
ｘ１＝ｘｈ，１
であり、（ｘ10，ｘ９，・・・，ｘ１）は最上位ビット（ＭＳＢ）（ｘ１０）から最下位ビット（ＬＳＢ）（ｘ１）までの前記結合された１０ビットの符号語であり、ｘｈ，１は前記Ｈビットであり、ｘｒｓｎ，１およびｘｒｓｎ，２は、ｘｒｓｎ，１がＭＳＢでｘｒｓｎ，２がＬＳＢである前記２ビットのＲＳＮビットであり、ｘｔｆｉ，１からｘｔｆｉ，７までがＭＳＢからＬＳＢまでの前記７ビットのＴＦＩビットである、請求項９に記載の装置。
【請求項１１】
固定長のハッピー（Ｈ）指標と固定長の再送シーケンス番号（ＲＳＮ）と固定長のトランスポート・フォーマット指標（ＴＦＩ）とを通信するよう動作可能な制御チャネルを有する無線通信システム内の送信機における方法であって、前記方法は、前記Ｈ指標と前記ＲＳＮと前記ＴＦＩとを、制御チャネルで送信するための結合された固定長の複数ビット符号語に結合するものであり、前記方法が、
前記ハッピー指標のビットと前記ＲＳＮのビットと前記ＴＦＩのビットとを結合された１０ビットの符号語へマッピングするステップを含み、前記ハッピー指標は１ビットのハッピービットであり、前記ＲＳＮは２ビットの固定長を有し、前記ＴＦＩは７ビットの固定長を有し、前記Ｈビットと前記２ビットのＲＳＮビットと前記７ビットのＴＦＩビットとの前記マッピングが
ｘ10＝ｘｔｆｉ，１
ｘ９＝ｘｔｆｉ，２
ｘ８＝ｘｔｆｉ，３
ｘ７＝ｘｔｆｉ，４
ｘ６＝ｘｔｆｉ，５
ｘ５＝ｘｔｆｉ，６
ｘ４＝ｘｔｆｉ，７
ｘ３＝ｘｒｓｎ，１
ｘ２＝ｘｒｓｎ，２
ｘ１＝ｘｈ，１
であり、（ｘ10，ｘ９，・・・，ｘ１）は最上位ビット（ＭＳＢ）（ｘ１０）から最下位ビット（ＬＳＢ）（ｘ１）までの前記結合された１０ビットの符号語であり、ｘｈ，１は前記Ｈビットであり、ｘｒｓｎ，１およびｘｒｓｎ，２は、ｘｒｓｎ，１がＭＳＢでｘｒｓｎ，２がＬＳＢである前記２ビットのＲＳＮビットであり、ｘｔｆｉ，１からｘｔｆｉ，７までがＭＳＢからＬＳＢまでの前記７ビットのＴＦＩビットである、方法。